(57)【要約】【課題】電源スイッチにより電源回路をオンさせた状態で  データの受信、印刷などの動作が行われていないとき、制御回路を動作させるために必要な電力より小さい消費電力にすることができないという課題がある。【解決手段】定電圧変換回路部２と、定電圧変換回路部２による定電圧を出力する機能を無効にするバイポーラトランジスターＱ４０と、電界効果トランジスターＱ４１と、を有する定電圧変換無効回路部４と、電界効果トランジスターＱ５０と、バイポーラトランジスターＱ５１と、電界効果トランジスターＱ５０が導通状態になるまでの第１の遅延時間を設定する第１の遅延回路部と、を有するタイマー回路部５と、出力端子６ａ，６ｂに流れる負荷電流を検出したときはバイポーラトランジスターＱ５１を導通状態にし、負荷電流を検出しないときはバイポーラトランジスターＱ５１を非導通状態にする負荷電流検出回路部３と、を備えた電源回路１を提供する。【選択図】図３
2011055617.tif 000002
【特許請求の範囲】
【請求項１】
二次側回路における電圧変化を一次側回路における電流変化としてフィードバックさせて、前記二次側回路の出力端子に定電圧を出力する定電圧変換回路部と、
前記二次側回路に接続され、導通状態で前記定電圧変換回路部による前記定電圧を出力する機能を無効にし、非導通状態で前記定電圧変換回路部による前記定電圧を出力する機能を有効にする第１のトランジスターと、導通状態で前記第１のトランジスターを非導通状態にし、非導通状態で前記第１のトランジスターを導通状態にする第２のトランジスターと、を有する定電圧変換無効回路部と、
導通状態で前記第２のトランジスターを非導通状態にし、非導通状態で前記第２のトランジスターを導通状態にする第３のトランジスターと、導通状態で前記第３のトランジスターを非導通状態にし、非導通状態で前記第３のトランジスターを導通状態にする第４のトランジスターと、前記第４のトランジスターが非導通状態になった時点から前記第３のトランジスターが導通状態になる時点までの第１の遅延時間を設定する第１の遅延回路部と、を有するタイマー回路部と、
前記二次側回路の前記出力端子に流れる負荷電流を検出したときは前記第４のトランジスターを導通状態にし、前記負荷電流を検出しないときは前記第４のトランジスターを非導通状態にする負荷電流検出回路部と、
を備えたことを特徴とする電源回路。
【請求項２】
請求項１に記載の電源回路であって、
前記第１の遅延回路部は、第１のコンデンサーと第１の抵抗とから構成されることを特徴とする電源回路。
【請求項３】
請求項１または請求項２に記載の電源回路であって、
前記負荷電流検出回路部は、前記出力端子と直接に接続されるか、あるいは、接地端子と直接に接続される負荷電流検出抵抗と、前記負荷電流検出抵抗の両端にかかる電圧を検出するオペアンプと、を備え、前記負荷電流検出抵抗の両端における電圧から前記負荷電流を検出することを特徴とする電源回路。
【請求項４】
請求項１から請求項３までのいずれか一項に記載の電源回路であって、
前記第２のトランジスターが非導通状態になった時点から前記第１のトランジスターが導通状態になる時点までの第２の遅延時間を設定する第２の遅延回路部、を備えたことを特徴とする電源回路。
【請求項５】
請求項４に記載の電源回路であって、
前記第２の遅延回路部は、第２のコンデンサーと第２の抵抗とから構成されることを特徴とする電源回路。
【請求項６】
請求項１から請求項５までのいずれか一項に記載の電源回路を備えたことを特徴とする電子機器装置。
【発明の詳細な説明】
【技術分野】
【０００１】
本発明は、電源回路、電源回路を備えた電子機器装置に関するものである。
【背景技術】
【０００２】
例えば、プリンター、ファクシミリなどの電子機器装置では、電源スイッチにより電源回路をオンさせた状態において、データの受信、印刷などの動作が行われていないときは、省エネルギーを目的として、消費電力を抑制することが求められる。
そこで、例えば、特許文献１では、特定な通信モードが設定されているか否かを判定し、電子機器装置を構成する部位に通電するかしないかを制御することで、消費電力を抑制する電子機器装置が提案されている。
【先行技術文献】
【特許文献】
【０００３】
【特許文献１】特開２００２−２６１９９６号公報
【発明の概要】
【発明が解決しようとする課題】
【０００４】
しかしながら、このような電子機器装置では、特定なモードが設定されているか否かを判定したり、通電するかしないかを制御したりするため、ＣＰＵ（Ｃｅｎｔｒａｌ  Ｐｒｏｃｅｓｓｉｎｇ  Ｕｎｉｔ）などを搭載した制御回路を動作させる。そのため、データの受信、印刷などの制御動作が行われていない期間に、データの受信、印刷などの動作を行うための部位には通電を停止することで消費電力を抑制しても、制御回路を動作させるために必要な電力を電源回路から供給しなくてはならない。
従って、このような電子機器装置は、電源スイッチにより電源回路をオンさせた状態でデータの受信、印刷などの制御動作が行われていないとき、制御回路を動作させるために必要な電力より小さい消費電力にすることができないという課題がある。
【課題を解決するための手段】
【０００５】
本発明は、上述の課題の少なくとも一部を解決するためになされたものであり、以下の形態または適用例として実現することが可能である。
【０００６】
［適用例１］二次側回路における電圧変化を一次側回路における電流変化としてフィードバックさせて、前記二次側回路の出力端子に定電圧を出力する定電圧変換回路部と、前記二次側回路に接続され、導通状態で前記定電圧変換回路部による前記定電圧を出力する機能を無効にし、非導通状態で前記定電圧変換回路部による前記定電圧を出力する機能を有効にする第１のトランジスターと、導通状態で前記第１のトランジスターを非導通状態にし、非導通状態で前記第１のトランジスターを導通状態にする第２のトランジスターと、を有する定電圧変換無効回路部と、導通状態で前記第２のトランジスターを非導通状態にし、非導通状態で前記第２のトランジスターを導通状態にする第３のトランジスターと、導通状態で前記第３のトランジスターを非導通状態にし、非導通状態で前記第３のトランジスターを導通状態にする第４のトランジスターと、前記第４のトランジスターが非導通状態になった時点から前記第３のトランジスターが導通状態になる時点までの第１の遅延時間を設定する第１の遅延回路部と、を有するタイマー回路部と、前記二次側回路の前記出力端子に流れる負荷電流を検出したときは前記第４のトランジスターを導通状態にし、前記負荷電流を検出しないときは前記第４のトランジスターを非導通状態にする負荷電流検出回路部と、を備えたことを特徴とする電源回路。
【０００７】
この構成によれば、負荷電流検出回路部は、二次側回路の出力端子に流れる負荷電流を検出したときは第４のトランジスターを導通状態にし、負荷電流を検出しないときは第４のトランジスターを非導通状態にする。これにより、負荷電流検出回路部が負荷電流を検出した後、負荷電流を検出しなくなると、第４のトランジスターは、導通状態から非導通状態になる。
【０００８】
タイマー回路部における第４のトランジスターは、導通時は第３のトランジスターを非導通状態にし、非導通時は第３のトランジスターを導通状態にし、第１の遅延回路部は、第４のトランジスターが非導通状態になった時点から第３のトランジスターが導通状態になるまでの第１の遅延時間を設定する。これにより、第４のトランジスターが導非導通状態になった時点から第１の遅延時間が経過した時点で第３のトランジスターが導通状態になる。
【０００９】
タイマー回路部における第３のトランジスターは、導通時は第２のトランジスターを非導通状態にし、非導通時は第２のトランジスターを導通状態にする。これにより、第３のトランジスターが導通状態になると、第２のトランジスターは非導通状態になる。
【００１０】
定電圧変換無効回路部における第２のトランジスターは、導通時は第１のトランジスターを非導通状態にし、非導通時は第１のトランジスターを導通状態にする。これにより、第２のトランジスターが非導通状態になると、第１のトランジスターは導通状態になる。
【００１１】
定電圧変換無効回路部における第１のトランジスターは、二次側回路に接続され、導通時は定電圧変換回路部による定電圧を出力する機能を無効にする。これにより、第１のトランジスターが導通状態になると、定電圧変換回路部による定電圧を出力する機能が無効となる。そのため、二次側回路の出力端子電圧は、定電圧より小さい電圧が出力される。
【００１２】
このように、制御回路を動作させることなく、二次側回路の出力端子に定電圧より小さい電圧が出力される。従って、電源スイッチにより電源回路をオンさせた状態で制御動作が行われていないとき、制御回路を動作させるために必要な電力より小さい消費電力にすることが可能となる。
【００１３】
また、第１の遅延時間が設けられることにより、定電圧変換回路部による定電圧を出力する機能が有効である期間が設けられ、第１の遅延時間が経過した時点で、定電圧変換回路部による定電圧を出力する機能が無効となる。
【００１４】
［適用例２］前記第１の遅延回路部は、第１のコンデンサーと第１の抵抗とから構成されることを特徴とする上記電源回路。
【００１５】
この構成によれば、制御回路の動作を不要とする遅延回路部を構成することができる。従って、電源スイッチにより電源回路をオンさせた状態で制御動作が行われていないとき、電源回路は、制御回路を動作させるために必要な電力より小さい消費電力にすることが可能となる。
【００１６】
［適用例３］前記負荷電流検出回路部は、前記出力端子と直接に接続されるか、あるいは、接地端子と直接に接続される負荷電流検出抵抗と、前記負荷電流検出抵抗の両端にかかる電圧を検出するオペアンプと、を備え、前記負荷電流検出抵抗の両端における電圧から前記負荷電流を検出することを特徴とする上記電源回路。
【００１７】
この構成によれば、二次側回路における出力端子に流れる負荷電流を検出することができる。
【００１８】
［適用例４］前記第２のトランジスターが非導通状態になった時点から前記第１のトランジスターが導通状態になる時点までの第２の遅延時間を設定する第２の遅延回路部、を備えたことを特徴とする上記電源回路。
【００１９】
この構成によれば、更に、第２の遅延回路部が備えられることにより、定電圧変換回路部による定電圧を出力する機能が有効である期間を第１の遅延回路部と第２の遅延回路部とによって構成できる。そのため、各遅延回路部が大型化することを抑制できる。
【００２０】
［適用例５］前記第２の遅延回路部は、第２のコンデンサーと第２の抵抗とから構成されることを特徴とする上記電源回路。
【００２１】
この構成によれば、第１の遅延回路部を構成する第１のコンデンサーと第１の抵抗と、第２の遅延回路部を構成する第２のコンデンサーと第２の抵抗が大型化することを抑制できる。
【００２２】
［適用例６］上記記載の電源回路を備えた電子機器装置。
【００２３】
この構成によれば、制御回路を動作させることなく、二次側回路の出力端子に定電圧より小さい電圧が出力される。従って、電源スイッチにより電源回路をオンさせた状態で制御動作が行われていないとき、制御回路を動作させるために必要な電力より小さい消費電力にすることが可能となる。
【図面の簡単な説明】
【００２４】
【図１】電子機器装置としてのインクジェットプリンターの電気的な構成を示すブロック図。
【図２】電源回路の電気的な構成を示すブロック図。
【図３】電源回路の回路図。
【図４】（ａ）〜（ｉ）は、電源回路に交流電源からの交流電力が入力されてから、印刷やスイッチ操作などの制御動作が行われることなく、電源回路の出力端子に出力される電圧が低下するまでの各トランジスターの動作を説明するタイミングチャート。
【図５】（ａ）〜（ｉ）は、電源回路に交流電源からの交流電力が入力されてから、印刷やスイッチ操作が行われた後、電源回路の出力端子に出力される電圧が低下するまでの各トランジスターの動作を説明するタイミングチャート。
【図６】モードの変化によって消費電力が変化することを示す図。
【発明を実施するための形態】
【００２５】
（実施例）
以下、本実施例について図を用いて説明する。図１は、本実施例の電子機器装置としてのインクジェットプリンター１００の電気的な構成を示すブロック図である。インクジェットプリンター１００には、印刷条件などの設定モードを表示するための発光ダイオード１０２、使用者が操作するための操作用スイッチ１０３、例えば、使用者の操作時に操作内容や設定条件を表示するための液晶パネル１０４、紙などの記録媒体を搬送するローラーを駆動するためのモーター１０５、記録媒体に画像を形成するためのインクを噴射する液体噴射ヘッド１０６が備えられる。
【００２６】
また、インクジェットプリンター１００には、発光ダイオード１０２、操作用スイッチ１０３、液晶パネル１０４、モーター１０５、液体噴射ヘッド１０６を制御するための制御回路１０１、交流電源８からの交流電力を直流電力に変換する電源回路１が備えられる。制御回路１０１には、電源回路１から直流電力が供給される。
【００２７】
制御回路１０１には、ＣＰＵ（不図示）、ＲＡＭ（不図示）、ＲＯＭ（不図示）などが搭載され、ＣＰＵはＲＯＭからプログラムをＲＡＭに読み出して実行する。
【００２８】
インクジェットプリンター１００は、コンピューター２００からデータを制御回路１０１に受信し、モーター１０５の駆動力を用いて記録媒体を搬送させながら液体噴射ヘッド１０６からインクを噴射させて画像を印刷する。
【００２９】
図２は、電源回路１の電気的な構成を示すブロック図である。定電圧変換回路部２は、交流電源８からの交流電力を直流電力に変換し、電圧が一定の定電圧を出力端子６に出力する。出力端子６は、図１の制御回路１０１に接続され、定電圧が出力端子６を介して制御回路１０１に供給される。
【００３０】
負荷電流検出回路部３は、出力端子６に流れる電流を検出する。定電圧変換無効回路部４は、定電圧変換回路部２による一定の電圧を出力する機能を無効にさせる。
【００３１】
タイマー回路部５は、負荷電流検出回路部３が出力端子６に流れる負荷電流を検出しない状態が継続したとき、検出しない状態が開始されてから第１の遅延時間が経過した後で定電圧変換無効回路部４の状態を変化させる。
【００３２】
定電圧変換無効回路部４が、定電圧変換回路部２による出力端子６に一定の電圧を出力する機能を無効にさせているとき、リセットスイッチＳＷ１が使用者によって押されると、定電圧変換無効回路部４に接続された端子７が接地され、定電圧変換無効回路部４の動作が停止され、定電圧変換回路部２による出力端子６に一定の電圧を出力する機能は有効となる。
【００３３】
図３は、電源回路１の回路図である。図２の定電圧変換回路部２について説明する。定電圧変換回路部２には、図面左側の一次側回路における一次側電圧を、図面右側の二次側回路における二次側電圧に変圧するトランスＴＲが備えられる。
【００３４】
交流電源８から供給される交流は、ブリッジ回路Ｂ１０によって整流され、電解コンデンサーＣ１０によって平滑される。トランスＴＲによって変圧された二次側電圧は、電解コンデンサーＣ２０によって平滑され、ダイオードＤ２０によって二次側回路には直流が流れる。
【００３５】
二次側回路には、フォトカプラＰＣを構成する発光素子としての発光ダイオードＤ２１が備えられる。発光ダイオードＤ２１のアノード側は、出力端子６ａに接続される。
【００３６】
二次側回路には、発光ダイオードＤ２１に流れる電流を制御する発光素子制御回路部７１が備えられる。本実施例の発光素子制御回路部７１は、出力電圧設定用抵抗Ｒ２０、出力電圧設定用抵抗Ｒ２１、シャントレギュレーターＺ２０、コンデンサーＣ２１とから構成される。
【００３７】
発光ダイオードＤ２１のカソード側は、シャントレギュレーターＺ２０のカソードＣ側に接続される。シャントレギュレーターＺ２０は、出力電圧設定用抵抗Ｒ２０と出力電圧設定用抵抗Ｒ２１によって分圧された位置Ｐ１における電圧が、基準電圧以上になると、カソードＣからアノードＡの方向に電流が流れる。本実施例の基準の電圧は、例えば２．４９５Ｖである。これにより、発光ダイオードＤ２１に電流Ｉ３が流れて発光ダイオードＤ２１は発光する。
【００３８】
発光ダイオードＤ２１から発光された光は、発光ダイオードＤ２１とともにフォトカプラＰＣを構成し、一次側回路に備えられたフォトトランジスターＱ１２によって受光され、フォトトランジスターＱ１２のコレクタ、エミッタ間にフィードバック電流Ｉ２が流れる。
【００３９】
一次側スイッチング制御回路部７０は、整流回路を構成するダイオードＤ１１、コンデンサーＣ１２と、フォトトランジスターＱ１２に流れる電流を制御する電流制限抵抗Ｒ１１，スイッチング制御用トランジスターＱ１１、スイッチングトランジスターＱ１０、スイッチングトランジスターＱ１０のベースに接続されるダイオードＤ１０、コンデンサーＣ１１とから構成される。
【００４０】
一次側スイッチング制御回路部７０は、フォトトランジスターＱ１２と接続され、フィードバック電流Ｉ２が流れるとスイッチングトランジスターＱ１０をオフし、フィードバック電流Ｉ２が流れないとスイッチングトランジスターＱ１０をオンさせるように制御する。
【００４１】
ダイオードＤ１１、コンデンサーＣ１２から電流制限抵抗Ｒ１１、フォトトランジスターＱ１２を介してスイッチング制御用トランジスターＱ１１のベースにフィードバック電流Ｉ２が流れ、スイッチング制御用トランジスターＱ１１のコレクタ、エミッタ間が導通する。
【００４２】
これにより、並列のダイオードＤ１０、コンデンサーＣ１１に接続された、スイッチングトランジスターＱ１０のベース電流が分岐減少されるので、スイッチングトランジスターＱ１０のコレクタ、エミッタ間は、ベース電流の減少とベース電圧の低下により遮断に至る。その結果、トランスＴＲの流入電力が減少し、二次側回路における二次側電圧が低下する。
【００４３】
反対に、Ｐ１の位置の電圧が基準の電圧より低いとき、シャントレギュレーターＺ２０のカソードＣからアノードＡの方向に流れる電流は流れないので、発光ダイオードＤ２１は発光せず、フォトトランジスターＱ１２のコレクタ、エミッタ間は導通しない。そのため、一次側スイッチング制御回路部７０にフィードバック電流Ｉ２が流れない。
【００４４】
これにより、スイッチング制御用トランジスターＱ１１のベースにフィードバック電流Ｉ２が流れないので、スイッチング制御用トランジスターＱ１１のコレクタ、エミッタ間が導通しない。すると、スイッチングトランジスターＱ１０のベースに流れ込む電流が増加するので、スイッチングトランジスターＱ１０のコレクタ、エミッタ間が導通する。その結果、トランスＴＲの流入電力が増加し、二次側回路における二次側電圧が高くなる。
【００４５】
このように、電源回路１における定電圧変換回路部２は、二次側回路に備えられた発光ダイオードＤ２１と一次側回路に備えられたフォトトランジスターＱ１２とから構成されるフォトカプラＰＣと、二次側電圧に応じて発光ダイオードＤ２１を流れる電流を制御する発光素子制御回路部７１と、フォトトランジスターＱ１２に流れるフィードバック電流Ｉ２に応じて、一次側回路に流れる電流Ｉ１を制御する一次側スイッチング制御回路部７０を備える。
【００４６】
これらの構成により、定電圧変換回路部２は、二次側回路における電圧変化を一次側回路におけるフィードバック電流Ｉ２の変化としてフィードバックさせて、二次側回路の出力端子６ａ，６ｂ間に一定の電圧である定電圧を出力する。本実施例では、出力端子６ａ，６ｂ間には、例えば４２Ｖの定電圧が出力される。
【００４７】
次に、図２の定電圧変換無効回路部４について説明する。図３の定電圧変換無効回路部４には、第１のトランジスターとしてのバイポーラトランジスターＱ４０が備えられる。バイポーラトランジスターＱ４０のコレクタは、抵抗Ｒ４０を介して発光ダイオードＤ２１のカソードとシャントレギュレーターＺ２０のカソードＣとに接続される。
【００４８】
定電圧変換無効回路部４には、第２の抵抗Ｒ４１と、第２のコンデンサーとしての電解コンデンサーＣ４０とによって構成された第２の遅延回路部が備えられる。一端が出力端子６ａに接続された第２の抵抗Ｒ４１の他端と、電解コンデンサーＣ４０の正極とは、バイポーラトランジスターＱ４０のベースに接続される。
【００４９】
第２の抵抗Ｒ４１を介して電解コンデンサーＣ４０が充電されると、バイポーラトランジスターＱ４０のベース電圧が上昇し、やがてバイポーラトランジスターＱ４０のコレクタ、エミッタ間が導通状態となる。
【００５０】
バイポーラトランジスターＱ４０が導通状態にあると、抵抗Ｒ４０を介して電流Ｉ３が発光ダイオードＤ２１を流れ、発光ダイオードＤ２１が発光し、フォトトランジスターＱ１２にはフィードバック電流Ｉ２が流れる。前述したように、フィードバック電流Ｉ２が流れると、フォトトランジスターＱ１２と接続された一次側スイッチング制御回路部７０は、一次側回路における電流を減少させるように制御する。
【００５１】
そのため、バイポーラトランジスターＱ４０が導通状態にあるとき、フォトトランジスターＱ１２にフィードバック電流Ｉ２は常時一定の電流が流れるので、二次側電圧に応じて発光ダイオードＤ２１を流れる電流Ｉ３を制御する発光素子制御回路部７１の機能は無効となる。
【００５２】
従って、バイポーラトランジスターＱ４０が導通状態にあるとき、一次側スイッチング制御回路部７０と、フォトカプラＰＣと、発光素子制御回路部７１を備えた定電圧変換回路部２によって二次側回路における出力端子６ａ，６ｂ間に定電圧を出力する機能は無効となる。
【００５３】
定電圧変換無効回路部４には、第２のトランジスターとしての電界効果トランジスターＱ４１が備えられる。電界効果トランジスターＱ４１のドレインは、抵抗Ｒ４２を介してバイポーラトランジスターＱ４０のベースと接続される。電界効果トランジスターＱ４１のゲートは、一端が出力端子６ａに接続された抵抗Ｒ５０の他端と一端が接地された抵抗Ｒ５１の他端に接続される。
【００５４】
抵抗Ｒ５０と抵抗Ｒ５１との分圧が、電界効果トランジスターＱ４１のソース、ドレイン間が導通するゲート電圧以上であると、電界効果トランジスターＱ４１のソース、ドレイン間が導通状態となる。電界効果トランジスターＱ４１が導通状態となると、電解コンデンサーＣ４０に蓄えられた電荷は放電され、バイポーラトランジスターＱ４０のベース電圧が低下し、コレクタ、エミッタ間は導通を維持できなくなり、バイポーラトランジスターＱ４０のコレクタ、エミッタ間は非導通の状態となる。
【００５５】
バイポーラトランジスターＱ４０が非導通の状態にあるとき、定電圧変換回路部２によって二次側回路における出力端子６ａ，６ｂ間に定電圧が出力される機能は有効である。
【００５６】
再び、電界効果トランジスターＱ４１が非導通の状態になると、第２の抵抗Ｒ４１を介して電解コンデンサーＣ４０は充電され、バイポーラトランジスターＱ４０のベース電圧が上昇し、やがてバイポーラトランジスターＱ４０のコレクタ、エミッタ間が導通状態となる。
【００５７】
前述したように、バイポーラトランジスターＱ４０が導通状態にあると、定電圧変換回路部２によって二次側回路における出力端子６ａ，６ｂ間に定電圧が出力される機能は無効である。
【００５８】
このとき、出力端子６ａ，６ｂ間には、発光ダイオードＤ２１における順方向電圧分と、抵抗Ｒ４０における電圧降下分と、バイポーラトランジスターＱ４０のコレクタ、エミッタ間の電圧分の合計値（例えば３Ｖ）が出力される。
【００５９】
バイポーラトランジスターＱ４０のベースには、抵抗Ｒ４２を介して、接地されたリセットスイッチＳＷ１が接続される。リセットスイッチＳＷ１が押されると、電解コンデンサーＣ４０に蓄えられた電荷は放電され、バイポーラトランジスターＱ４０のベース電圧は、コレクタ、エミッタ間が導通を維持できなくなり、バイポーラトランジスターＱ４０のコレクタ、エミッタ間は非導通状態となる。そのため、定電圧変換回路部２によって二次側回路における出力端子６ａ，６ｂ間に定電圧が出力される機能は有効となる。
【００６０】
次に、タイマー回路部５について説明する。タイマー回路部５には、第３のトランジスターとしての電界効果トランジスターＱ５０が備えられる。電界効果トランジスターＱ５０のドレインは、電界効果トランジスターＱ４１のゲートに接続される。
【００６１】
電界効果トランジスターＱ５０のソース、ドレイン間が導通状態にあると、電界効果トランジスターＱ４１のゲート電圧は、ソース、ドレイン間が導通するためのゲート電圧以下となるので、電界効果トランジスターＱ４１のソース、ドレイン間は非導通の状態となる。
【００６２】
電界効果トランジスターＱ５０のソース、ドレイン間が非導通状態にあると、抵抗Ｒ５０と抵抗Ｒ５１との分圧が電界効果トランジスターＱ４１のゲートに印加され、電界効果トランジスターＱ４１が導通するゲート電圧以上になるので、電界効果トランジスターＱ４１のソース、ドレイン間は導通状態になる。
【００６３】
タイマー回路部５には、第１の抵抗Ｒ５２と、第１のコンデンサーとしての電解コンデンサーＣ５０とによって構成された第１の遅延回路部が備えられる。一端が出力端子６ａに接続された第１の抵抗Ｒ５２の他端と、電解コンデンサーＣ５０の正極とは、電界効果トランジスターＱ５０のゲートに接続される。
【００６４】
タイマー回路部５には、第４のトランジスターとしてのバイポーラトランジスターＱ５１が備えられる。バイポーラトランジスターＱ５１のコレクタは、電界効果トランジスターＱ５０のゲートに接続される。
【００６５】
バイポーラトランジスターＱ５１のコレクタ、エミッタ間が非導通の状態になると、電解コンデンサーＣ５０は第１の抵抗Ｒ５２を介して充電され、電界効果トランジスターＱ５０のゲート電圧は電界効果トランジスターＱ５０が導通可能なゲート電圧以上になるので、電界効果トランジスターＱ５０は導通状態になる。
【００６６】
バイポーラトランジスターＱ５１のコレクタ、エミッタ間が導通状態になると、電解コンデンサーＣ５０に蓄えられた電荷は放電され、電界効果トランジスターＱ５０のゲート電圧が、ソース、ドレイン間が導通するためのゲート電圧以下になるので、電界効果トランジスターＱ５０は非導通の状態になる。
【００６７】
次に、負荷電流検出回路部３について説明する。負荷電流検出回路部３には、出力端子６ｂに直接に接続された負荷電流検出抵抗Ｒ３０と、負荷電流検出抵抗Ｒ３０の両端における電圧によって負荷電流を検出するオペアンプＯＰ３０が備えられる。本実施例では、負荷電流検出抵抗Ｒ３０は、出力端子６ｂに直接に接続されるが、出力端子６ａに直接に接続されてもよい。
【００６８】
オペアンプＯＰ３０の正帰還端子は出力端子６ｂに接続され、負帰還端子は、負荷電流検出抵抗Ｒ３０の出力端子６ｂの反対側に接続される。オペアンプＯＰ３０の出力側は、バイポーラトランジスターＱ５１のゲートに接続され、オペアンプＯＰ３０が負荷電流検出抵抗Ｒ３０の両端における電圧を検出することによって出力端子６ｂに流れる負荷電流を検出すると、バイポーラトランジスターＱ５１のゲートにソース、ドレイン間が導通するためのゲート電圧以上の電圧を出力させて電界効果トランジスターＱ５１のソース、ドレイン間を導通状態にさせる。
【００６９】
オペアンプＯＰ３０が出力端子６ｂから流入する負荷電流を検出しないと、バイポーラトランジスターＱ５１のゲートには電圧を出力しないでバイポーラトランジスターＱ５１を非導通状態にさせる。
【００７０】
次に、電源回路１に交流電源８からの交流電力が入力されてから、電源回路１の出力端子６ａ，６ｂ間に出力される電圧が低下するまでの第１のトランジスターから第４のトランジスターの動作について説明する。図４（ａ）〜（ｉ）は、電源回路１に交流電源８からの交流電力が入力されてから、印刷やスイッチ操作などの制御動作が行われることなく、電源回路１の出力端子６ａ，６ｂ間に出力される電圧が低下するまでの各トランジスターの動作を説明するタイミングチャートである。
【００７１】
図４（ａ）は、交流電源８からの交流電力が電源回路１に入力されているか（ＯＮ）、いないか（ＯＦＦ）を示す。時点ｔ１では、図１のインクジェットプリンター１００に備えられた電源スイッチ（不図示）がオンされ、交流電源８からの交流電力が電源回路１に入力された時点を示す。
【００７２】
図４（ｂ）は、電源回路１における二次側回路の出力端子６ａ，６ｂ間に出力される二次側電圧を示すグラフである。図４（ｃ）は、電界効果トランジスターＱ４１のゲート電圧を示すグラフである。図４（ｄ）は、電界効果トランジスターＱ４１の導通状態を示す。
【００７３】
図４（ｂ）の時点ｔ１で０Ｖであった二次側電圧が上昇し、時点ｔ３で一定の定電圧ＶＣになる。二次側電圧の上昇に伴って、出力端子６ａに接続される抵抗Ｒ５０とＲ５１によって分圧された図４（ｃ）の電界効果トランジスターＱ４１のゲート電圧は、時点ｔ１から時点ｔ３まで上昇する。
【００７４】
時点ｔ２で電界効果トランジスターＱ４１のゲート電圧は、電界効果トランジスターＱ４１のソース、ドレイン間が導通するゲート電圧の閾値Ｖ２に達する。そのため、図４（ｄ）の電界効果トランジスターＱ４１のソース、ドレイン間は、時点ｔ２で非導通状態（ＯＦＦ）から導通状態（ＯＮ）になる。
【００７５】
図４（ｅ）は、バイポーラトランジスターＱ４０のベース電圧を示すグラフである。図４（ｆ）は、バイポーラトランジスターＱ４０の導通状態を示す。
【００７６】
図４（ｅ）の時点ｔ１で０ＶであったバイポーラトランジスターＱ４０のベース電圧が上昇し始める。電界効果トランジスターＱ４１のドレインは、電解コンデンサーＣ４０と抵抗Ｒ４２を介して接続されているので、時点ｔ２で、図４（ｄ）の電界効果トランジスターＱ４１のドレイン、ソース間が導通状態（ＯＮ）になると、電解コンデンサーＣ４０は放電され、バイポーラトランジスターＱ４０のベース電圧は０Ｖになる。
【００７７】
バイポーラトランジスターＱ４０のベース電圧が上昇しても、図４（ｅ）に示すように、バイポーラトランジスターＱ４０のコレクタ、エミッタ間が導通するベース電圧Ｖ１に達する前に、時点ｔ２で、バイポーラトランジスターＱ４０のベース電圧は０Ｖになる。ベース電圧Ｖ１は、コレクタ、エミッタ間に電流Ｉ３を流し続ける為の最低電圧である。従って、時点ｔ１から時点ｔ３において、バイポーラトランジスターＱ４０のベース電圧は、Ｖ１以下であるので、図４（ｆ）のバイポーラトランジスターＱ４０は、非導通状態（ＯＦＦ）である。
【００７８】
このように、バイポーラトランジスターＱ４０のコレクタ、エミッタ間が導通可能なベース電圧Ｖ１に達する前に、時点ｔ２で、バイポーラトランジスターＱ４０のベース電圧は０Ｖになる。これにより、電源スイッチをオンすることによって電源回路１に交流電力が入力されたとき、バイポーラトランジスターＱ４０のコレクタ、エミッタ間が導通して定電圧変換回路部２の機能が無効になってしまうことを防止できる。従って、電源スイッチをオンすることによって電源回路１に交流電力が入力されたとき、印刷やスイッチ操作などの制御動作ができる。
【００７９】
図４（ｇ）は、第３のトランジスターとしての電界効果トランジスターＱ５０のゲート電圧を示すグラフである。図４（ｈ）は、電界効果トランジスターＱ５０の導通状態を示す。
【００８０】
時点ｔ１で、電源回路１に交流電力が入力されると、出力端子６ａに接続される第１の抵抗Ｒ５２を介して電解コンデンサーＣ５０が充電される。そのため、図４（ｇ）のゲートが電解コンデンサーＣ５０の正極に接続された電界効果トランジスターＱ５０のゲート電圧は、時点ｔ１から上昇し始める。
【００８１】
時点ｔ４で、電界効果トランジスターＱ５０のソース、ドレイン間が導通するゲート電圧の閾値Ｖ３に達すると、図４（ｈ）の電界効果トランジスターＱ５０は非導通状態（ＯＦＦ）から導通状態（ＯＮ）になる。
【００８２】
時点ｔ４で電界効果トランジスターＱ５０が導通状態（ＯＮ）になると、電界効果トランジスターＱ５０のドレインが接続された図４（ｃ）の電界効果トランジスターＱ４１のゲート電圧が０Ｖとなる。すると、時点ｔ４では、図４（ｄ）の電界効果トランジスターＱ４１のソース、ドレイン間は、導通状態（ＯＮ）から非導通状態（ＯＦＦ）になる。
【００８３】
時点ｔ４で、電界効果トランジスターＱ４１のソース、ドレイン間が非導通状態（ＯＦＦ）になると、抵抗Ｒ４１を介して電解コンデンサーＣ４０は充電され、図４（ｅ）のバイポーラトランジスターＱ４０のベース電圧は上昇する。
【００８４】
時点ｔ５で、バイポーラトランジスターＱ４０のコレクタ、エミッタ間が導通可能なベース電圧Ｖ１に達すると、バイポーラトランジスターＱ４０のコレクタ、エミッタ間が導通する。
【００８５】
時点ｔ５で、バイポーラトランジスターＱ４０のコレクタ、エミッタ間が導通すると、図３の発光ダイオードＤ２１に電流Ｉ３が流れる。従って、二次側回路における電圧変化を一次側回路における電流変化としてフィードバックさせて、二次側回路の出力端子６ａ，６ｂ間に定電圧を出力する定電圧変換回路部２の機能を無効にする。
【００８６】
時点ｔ５からは、図４（ｂ）の二次側電圧は低下し、時点ｔ６以降は、定電圧ＶＣより低い電圧ＶＬが出力端子６ａ，６ｂ間に出力される。
【００８７】
図４（ｉ）は、バイポーラトランジスターＱ５１の導通状態を示す。時点ｔ１から時点ｔ６および時点ｔ６以降において、オペアンプＯＰ３０は、負荷電流検出抵抗Ｒ３０の両端における電圧は所定の電圧に達しないので、オペアンプＯＰ３０はバイポーラトランジスターＱ５１のベースに、バイポーラトランジスターＱ５１のコレクタ、エミッタ間を導通可能なベース電圧を出力しない。そのため、時点ｔ１から時点ｔ６および時点ｔ６以降においては、バイポーラトランジスターＱ５１は非導通状態（ＯＦＦ）である。
【００８８】
図４（ｇ）に示すＤＴ１は、電源回路１に交流電力が入力され、電界効果トランジスターＱ５０のゲート電圧が上昇を開始した時点ｔ１から、電界効果トランジスターＱ５０のゲート電圧の閾値Ｖ３に達した時点ｔ４までの第１の遅延時間を示す。第１の遅延時間ＤＴ１は、第１の遅延回路部によって設定される。
【００８９】
すなわち、第１の遅延時間ＤＴ１は、バイポーラトランジスターＱ５１が、電源回路１に交流電力が入力されて非導通状態とする時点ｔ１から電界効果トランジスターＱ５０が導通状態になる時点ｔ４までの期間である。
【００９０】
時点ｔ４では、図４（ｃ）の電界効果トランジスターＱ４１のゲート電圧は０Ｖになり、図４（ｄ）の電界効果トランジスターＱ４１は導通状態（ＯＮ）から非導通状態（ＯＦＦ）になる。このように、第１の遅延回路部は、出力端子６ａ，６ｂに流れる負荷電流を検出しない状態が継続したとき、検出しない状態が開始（時点ｔ１）されてから第１の遅延時間ＤＴ１が経過した後（時点ｔ４）で定電圧変換無効回路部４の電界効果トランジスターＱ４１を導通状態（ＯＮ）から非導通状態（ＯＦＦ）にさせる。
【００９１】
図４（ｅ）に示すＤＴ２は、バイポーラトランジスターＱ４０のベース電圧が上昇を開始した時点ｔ４から、バイポーラトランジスターＱ４０が導通可能なベース電圧Ｖ１に達した時点ｔ５までの第２の遅延時間を示す。第２の遅延時間ＤＴ２は、第２の遅延回路部によって設定される。
【００９２】
すなわち、第２の遅延時間ＤＴ２は、電界効果トランジスターＱ４１が、導通状態から非導通状態になった時点ｔ４からバイポーラトランジスターＱ４０が導通状態になる時点ｔ５までの期間である。
【００９３】
図４（ｆ）のバイポーラトランジスターＱ４０は、第１の遅延時間ＤＴ１と第２の遅延時間ＤＴ２が経過するまでの期間（時点ｔ１から時点ｔ５まで）は、非導通状態（ＯＦＦ）である。従って、この期間においては、二次側回路の出力端子６ａ，６ｂ間に定電圧を出力する定電圧変換回路部２の機能は有効である。そのため、この期間においては、図１のモーター１０５、液体噴射ヘッド１０６を動作させるために必要な電力が供給されているので、制御回路１０１がコンピューター２００からデータを受信すると印刷が行われる。
【００９４】
次に、電源回路１に交流電源８からの交流電力が入力されてから、印刷動作やスイッチ操作が行われた後、電源回路１の出力端子６ａ，６ｂ間に出力される電圧が低下するまでの第１のトランジスターから第４のトランジスターの動作について説明する。図５（ａ）〜（ｉ）は、電源回路１に交流電源８からの交流電力が入力されてから、印刷やスイッチ操作が行われた後、電源回路１の出力端子６ａ，６ｂ間に出力される電圧が低下するまでの各トランジスターの動作を説明するタイミングチャートである。
【００９５】
図５（ａ）は交流電力が入力されているかいないかを示し、（ｂ）は、二次側電圧のグラフ、（ｃ）は、電界効果トランジスターＱ４１のゲート電圧のグラフ、（ｄ）は、電界効果トランジスターＱ４１の導通状態を示し、（ｅ）は、バイポーラトランジスターＱ４０のベース電圧のグラフ、（ｆ）は、バイポーラトランジスターＱ４０の導通状態を示し、（ｇ）は、電界効果トランジスターＱ５０のゲート電圧のグラフ、（ｈ）は、電界効果トランジスターＱ５０の導通状態を示し、（ｉ）は、バイポーラトランジスターＱ５１の導通状態を示す。
【００９６】
図５（ａ）〜（ｉ）における時点ｔ１から時点ｔ３までの各トランジスターの動作は、図４（ａ）〜（ｉ）における時点ｔ１から時点ｔ３までの各トランジスターの動作と同じである。
【００９７】
時点ｔ１０で、オペアンプＯＰ３０は、負荷電流検出抵抗Ｒ３０の両端における電圧を検出し、オペアンプＯＰ３０はバイポーラトランジスターＱ５１のベースに、バイポーラトランジスターＱ５１のコレクタ、エミッタ間を導通可能なベース電圧を出力する。そのため、時点ｔ１０で、バイポーラトランジスターＱ５１は非導通状態（ＯＦＦ）から導通状態（ＯＮ）になる。
【００９８】
図５（ｇ）の時点ｔ１から上昇していた電界効果トランジスターＱ５０のゲート電圧は、時点ｔ１０で、バイポーラトランジスターＱ５１は非導通状態（ＯＦＦ）から導通状態（ＯＮ）になったことにより、電界効果トランジスターＱ５０のソース、ドレインを導通させるゲート電圧の閾値Ｖ３に達することなく、時点ｔ１０で０Ｖになる。
【００９９】
印刷動作が終了すると、時点ｔ１１で、オペアンプＯＰ３０は、負荷電流検出抵抗Ｒ３０の両端における電圧は所定の電圧に達しないので、オペアンプＯＰ３０はバイポーラトランジスターＱ５１のベースに電圧を出力しない。そのため、時点ｔ１１で、図５（ｉ）のバイポーラトランジスターＱ５１は導通状態（ＯＮ）から非導通状態（ＯＦＦ）になる。すると、時点ｔ１１で、図５（ｇ）の電界効果トランジスターＱ５０のゲート電圧は０Ｖから上昇し始める。
【０１００】
時点ｔ１２で、使用者によって図１の操作用スイッチ１０３が操作され、オペアンプＯＰ３０は、負荷電流検出抵抗Ｒ３０の両端における電圧を検出し、オペアンプＯＰ３０はバイポーラトランジスターＱ５１のベースに、バイポーラトランジスターＱ５１のコレクタ、エミッタ間を導通可能なベース電圧を出力する。そのため、時点ｔ１２で、バイポーラトランジスターＱ５１は非導通状態（ＯＦＦ）から導通状態（ＯＮ）になる。
【０１０１】
使用者による操作用スイッチ１０３の操作が終了すると、時点ｔ１３で、オペアンプＯＰ３０は、負荷電流検出抵抗Ｒ３０の両端における電圧を検出しないので、オペアンプＯＰ３０はバイポーラトランジスターＱ５１のベースに電圧を出力しない。そのため、時点ｔ１３で、図５（ｉ）のバイポーラトランジスターＱ５１は導通状態（ＯＮ）から非導通状態（ＯＦＦ）になる。すると、時点ｔ１３で、図５（ｇ）の電界効果トランジスターＱ５０のゲート電圧は０Ｖから再び上昇し始める。
【０１０２】
時点ｔ１４で、電界効果トランジスターＱ５０のソース、ドレイン間が導通するゲート電圧の閾値Ｖ３に達すると、図５（ｈ）の電界効果トランジスターＱ５０は非導通状態（ＯＦＦ）から導通状態（ＯＮ）になる。
【０１０３】
時点ｔ１４で電界効果トランジスターＱ５０が導通状態（ＯＮ）になると、電界効果トランジスターＱ５０のドレインが接続された図５（ｃ）の電界効果トランジスターＱ４１のゲート電圧が０Ｖとなる。すると、時点ｔ１４では、図５（ｄ）の電界効果トランジスターＱ４１のソース、ドレイン間は、導通状態（ＯＮ）から非導通状態（ＯＦＦ）になる。
【０１０４】
時点ｔ１４で、電界効果トランジスターＱ４１のソース、ドレイン間が非導通状態（ＯＦＦ）になると、第２の抵抗Ｒ４１を介して電解コンデンサーＣ４０は充電され、図５（ｅ）のバイポーラトランジスターＱ４０のベース電圧は上昇する。
【０１０５】
時点ｔ１５で、バイポーラトランジスターＱ４０のコレクタ、エミッタ間が導通可能なベース電圧Ｖ１に達すると、バイポーラトランジスターＱ４０のコレクタ、エミッタ間が導通する。
【０１０６】
時点ｔ１５で、バイポーラトランジスターＱ４０のコレクタ、エミッタ間が導通すると、図３の発光ダイオードＤ２１に電流Ｉ３が流れる。従って、二次側回路における電圧変化を一次側回路における電流変化としてフィードバックさせて、二次側回路の出力端子６ａ，６ｂ間に定電圧を出力する定電圧変換回路部２の機能を無効にする。
【０１０７】
時点ｔ１５からは、図５（ｂ）の二次側電圧は低下し、時点ｔ１６以降は、定電圧ＶＣより低い電圧ＶＬが出力端子６ａ，６ｂ間に出力される。
【０１０８】
図５（ｇ）に示すＤＴ１は、電源回路１に交流電力が入力され、電界効果トランジスターＱ５０のゲート電圧が上昇を開始した時点ｔ１３から、電界効果トランジスターＱ５０のゲート電圧の閾値Ｖ３に達した時点ｔ１４までの第１の遅延時間を示す。
【０１０９】
すなわち、第１の遅延時間ＤＴ１は、バイポーラトランジスターＱ５１が、導通状態から非導通状態になった時点ｔ１３から電界効果トランジスターＱ５０が導通状態になる時点ｔ１４までの期間である。
【０１１０】
時点ｔ１４では、図５（ｃ）の電界効果トランジスターＱ４１のゲート電圧は０Ｖになり、図５（ｄ）の電界効果トランジスターＱ４１は導通状態（ＯＮ）から非導通状態（ＯＦＦ）になる。このように、第１の遅延回路部は、出力端子６ａ，６ｂに流れる負荷電流を検出しない状態が継続したとき、検出しない状態が開始（時点ｔ１３）されてから第１の遅延時間ＤＴ１が経過した後（時点ｔ１４）で定電圧変換無効回路部４の電界効果トランジスターＱ４１を導通状態（ＯＮ）から非導通状態（ＯＦＦ）にさせる。
【０１１１】
図５（ｅ）に示すＤＴ２は、バイポーラトランジスターＱ４０のベース電圧が上昇を開始した時点ｔ１４から、バイポーラトランジスターＱ４０のベース電圧が、バイポーラトランジスターＱ４０のコレクタ、エミッタ間を導通可能なベース電圧Ｖ１に達した時点ｔ１５までの第２の遅延時間を示す。第２の遅延時間ＤＴ２は、第２の遅延回路部によって設定される。
【０１１２】
すなわち、第２の遅延時間ＤＴ２は、電界効果トランジスターＱ４１が、導通状態から非導通状態となった時点ｔ１４からバイポーラトランジスターＱ４０が導通状態になる時点ｔ１５までの期間である。
【０１１３】
図５（ｆ）のバイポーラトランジスターＱ４０は、第１の遅延時間ＤＴ１と第２の遅延時間ＤＴ２が経過するまでの期間（時点ｔ１３から時点ｔ１５まで）は、非導通状態（ＯＦＦ）である。従って、この期間においては、二次側回路の出力端子６ａ，６ｂ間に定電圧ＶＣを出力する定電圧変換回路部２の機能は有効である。そのため、この期間においては、図１のモーター１０５、液体噴射ヘッド１０６を動作させるために必要な電力が供給されているので、制御回路１０１がコンピューター２００からデータを受信すると印刷が行われる。
【０１１４】
次に、電源回路１でのモード別での消費電力について説明する。図６は、モードの変化によって消費電力が変化することを示す図である。縦軸は消費電力を示し、横軸は時間を示す。
【０１１５】
図６の時点ｔ２０から時点ｔ２１までは、レディモードの状態にあり、消費電力はＬ４である。レディモードは、印刷動作やスイッチ操作などの制御動作が行われていないが、電源回路１の出力端子６ａ，６ｂ間に定電圧ＶＣが出力されており、図１の電源回路１、制御回路１０１、操作用スイッチ１０３、液晶パネル１０４、モーター１０５、液体噴射ヘッド１０６に通電されている状態である。図４（ａ）〜（ｉ）では、時点ｔ３から時点ｔ５までの期間であり、図５（ａ）〜（ｉ）では、時点ｔ３から時点ｔ１０まで、時点ｔ１１から時点ｔ１２まで、時点ｔ１３から時点ｔ１５までの期間である。
【０１１６】
図６の時点ｔ２１から時点ｔ２２までは、印刷モードの状態にあり、消費電力はＬ５からＬ６の範囲にある。時点ｔ２１で印刷が開始され、時点ｔ２２で印刷が終了されたことを示す。この期間は、図１の制御回路１０１は、モーター１０５、液体噴射ヘッド１０６を駆動させて記録媒体に画像を形成する。図５（ａ）〜（ｉ）では、時点ｔ１０から時点ｔ１１までの期間である。
【０１１７】
図６の時点ｔ２２から時点ｔ２３までは、再びレディモードの状態に戻り、消費電力はＬ４である。
【０１１８】
図６の時点ｔ２３から時点ｔ２４までは、スリープ１モードであり、消費電力はＬ３である。スリープ１のモードでは、制御回路１０１を介して通電対象となる機器のうちから通電停止となる機器を指定し、例えば発光ダイオード１０２への通電を停止する。
【０１１９】
図６の時点ｔ２４から時点ｔ２５までは、スリープ２モードであり、消費電力はＬ２である。スリープ２のモードでは、制御回路１０１を介して通電対象となる機器のうちから通電停止となる機器をさらに指定し、例えば発光ダイオード１０２、液晶パネル１０４などへの通電を停止する。
【０１２０】
図６の時点ｔ２５以降は、リモートオフモードであり、消費電力はＬ１である。リモートオフモードでは、制御回路１０１を動作させるために必要な電力を供給しない。また、制御回路１０１を介して通電対象となる発光ダイオード１０２、操作用スイッチ１０３、液晶パネル１０４、モーター１０５、液体噴射ヘッド１０６への通電はされない。
【０１２１】
リモートオフモードは、図４（ａ）〜（ｉ）では、時点ｔ６以降の期間であり、図５（ａ）〜（ｉ）では、時点ｔ１６以降の期間である。
【０１２２】
以上、本実施例で説明した電源回路１には、図３の二次側回路における電圧変化を一次側回路における電流変化としてフィードバックさせて、二次側回路の出力端子６ａ，６ｂ間に定電圧ＶＣを出力する定電圧変換回路部２と、二次側回路に接続され、導通時は定電圧変換回路部２による定電圧ＶＣを出力する機能を無効にし、非導通時は定電圧変換回路部２による定電圧ＶＣを出力する機能を有効にする第１のトランジスターとしてのバイポーラトランジスターＱ４０と、導通時はバイポーラトランジスターＱ４０を非導通状態にし、非導通時はバイポーラトランジスターＱ４０を導通状態にする第２のトランジスターとしての電界効果トランジスターＱ４１と、を有する定電圧変換無効回路部４と、を備える。
【０１２３】
また、導通時は電界効果トランジスターＱ４１を非導通状態にし、非導通時は電界効果トランジスターＱ４１を導通状態にする第３のトランジスターとしての電界効果トランジスターＱ５０と、導通時は電界効果トランジスターＱ５０を非導通状態にし、非導通時は電界効果トランジスターＱ５０を導通状態にする第４のトランジスターとしての電界効果トランジスターＱ５１と、バイポーラトランジスターＱ５１が非導通状態になった時点から電界効果トランジスターＱ５０が導通状態になるまでの第１の遅延時間ＤＴ１（図４（ｇ）、図５（ｇ）参照）を設定する第１の遅延回路部と、を有するタイマー回路部５と、負荷電流検出抵抗Ｒ３０の両端における電圧の変化から出力端子６ａ，６ｂに流れる負荷電流を検出したときはバイポーラトランジスターＱ５１を導通状態にし、負荷電流を検出しないときはバイポーラトランジスターＱ５１を非導通状態にする負荷電流検出回路部３と、を備える。
【０１２４】
この構成によれば、負荷電流検出回路部３が負荷電流を検出した後、負荷電流を検出しなくなると、バイポーラトランジスターＱ５１は、導通状態から非導通状態になる。
【０１２５】
バイポーラトランジスターＱ５１が、導通状態から非導通状態になると、電界効果トランジスターＱ５０は、第１の遅延時間ＤＴ１が経過してから導通状態になる。
【０１２６】
電界効果トランジスターＱ５０が、第１の遅延時間ＤＴ１が経過してから導通状態になると、電界効果トランジスターＱ４１は非導通状態になる。
【０１２７】
電界効果トランジスターＱ４１が非導通状態になると、バイポーラトランジスターＱ４０は導通状態になる。
【０１２８】
バイポーラトランジスターＱ４０が導通状態になると、定電圧変換回路部２による定電圧ＶＣを出力する機能が無効となる。そのため、一次側回路に流れる電流が抑制され、二次側回路の出力端子６ａ，６ｂ間に定電圧ＶＣより小さい電圧ＶＬが出力される。
【０１２９】
本実施例では、制御回路１０１に搭載されたＣＰＵやＲＡＭ、ＲＯＭなどを動作させることなく、消費電力を抑制することができる。従って、電源スイッチにより電源回路１をオンさせた状態でデータ受信や印刷などの制御動作が行われていないとき、制御回路１０１を動作させるために必要な電力より小さい消費電力にすることが可能となる。
【０１３０】
また、定電圧変換回路部２による定電圧ＶＣを出力する機能が有効である期間を、第１の遅延期間ＤＴ１を設定する第１の遅延回路部と、第２の遅延期間ＤＴ２を設定する第２の遅延回路部とによって構成できる。そのため、第１の遅延回路部を構成する第１のコンデンサーとしての電解コンデンサーＣ５０、第１の抵抗Ｒ５２、第２の遅延回路部を構成する電解コンデンサーＣ４０、第２の抵抗Ｒ４１が大型化することを抑制できる。
【０１３１】
本実施例では、第１のトランジスター、第４のトランジスターとしてバイポーラトランジスターＱ４０、Ｑ５１を使用し、第２のトランジスター、第３のトランジスターとして電界効果トランジスターＱ４１、Ｑ５０をそれぞれ使用したが、第１のトランジスター、第４のトランジスターとして電界効果トランジスターを使用してもよいし、第２のトランジスター、第３のトランジスターとしてバイポーラトランジスターを使用してもよい。
【符号の説明】
【０１３２】
１…電源回路、２…定電圧変換回路部、３…負荷電流検出回路部、４…定電圧変換無効回路部、５…タイマー回路部、６ａ，６ｂ…出力端子、Ｃ４０…電解コンデンサー、Ｃ５０…電解コンデンサー、ＤＴ１…第１の遅延時間、ＤＴ２…第２の遅延時間、ＯＰ３０…オペアンプ、Ｑ４０，Ｑ５１…バイポーラトランジスター、Ｑ４１，Ｑ５０…電界効果トランジスター、Ｒ３０…負荷電流検出抵抗、Ｒ４１…第２の抵抗、Ｒ５２…第１の抵抗、ＶＣ…定電圧。
【図１】
2011055617.tif 000003
【図２】
2011055617.tif 000004
【図３】
2011055617.tif 000005
【図４】
2011055617.tif 000006
【図５】
2011055617.tif 000007
【図６】
2011055617.tif 000008